(57)【特許請求の範囲】
【請求項１】
鼠の通路となる筒状の外箱と、粘着剤が塗工されて前記外箱の中に配置された基材とを有する有害生物粘着捕獲器であって、
前記基材の前記外箱の両端付近の面上には、前記外箱の入口から進入した鼠の第１歩目または第１歩目及び第２歩目が触れる領域に、第二粘着剤よりタック性の高い第一粘着剤が塗工され、
前記基材の前記第一粘着剤が塗工された領域の間の面上には、前記第一粘着剤より凝集力の強い前記第二粘着剤が塗工され、
前記外箱には、前記第二粘着剤が塗工された前記基材の領域を通過する鼠の通路を狭めて鼠の通過速度を遅らせる減速部が設けられていることを特徴とする有害生物粘着捕獲器。
【請求項２】
請求項１に記載の有害生物粘着捕獲器であって、前記第一粘着剤のタック性を示すＬｍａｘ値が１５０ｇ／ｃｍ2以上であり、前記第二粘着剤の凝集力を示すＥ値が１５００ｇ・ｍｍ以上であることを特徴とする有害生物粘着捕獲器。
【発明の詳細な説明】
【０００１】
【発明の属する技術分野】
本発明は、有害生物粘着捕獲器に関し、特に鼠やゴキブリ等を捕獲するのに好適な有害生物粘着捕獲器に関する。
【０００２】
【従来の技術】
従来、鼠やゴキブリを捕獲するために種々の粘着剤を用いたトラップ（粘着捕獲器）が市販されている。捕獲力を向上させるために、誘引剤を併用したり、容器形状を工夫したりするなど、様々な試みがなされている。
【０００３】
【発明が解決しようとする課題】
しかし、従来の粘着捕獲器は、一度捕獲した有害生物を逃亡させないという点について、改善の余地があった。
本発明は、上記事情に鑑みてなされたもので、その目的は、捕獲力を向上した有害生物粘着捕獲器を提供することにある。
【０００４】
【課題を解決するための手段】
本発明の目的は、鼠の通路となる筒状の外箱と、粘着剤が塗工されて前記外箱の中に配置された基材とを有する有害生物粘着捕獲器であって、前記基材の前記外箱の両端付近の面上には、前記外箱の入口から進入した鼠の第１歩目または第１歩目及び第２歩目が触れる領域に、第二粘着剤よりタック性の高い第一粘着剤が塗工され、前記基材の前記第一粘着剤が塗工された領域の間の面上には、前記第一粘着剤より凝集力の強い前記第二粘着剤が塗工され、前記外箱には、前記第二粘着剤が塗工された前記基材の領域を通過する鼠の通路を狭めて鼠の通過速度を遅らせる減速部が設けられていることを特徴とする有害生物粘着捕獲器により達成される。
【０００５】
本発明者は、捕獲力を向上させるために、粘着剤の凝集力とタック性とに着目した。体重の重い生物を捕獲したい場合は凝集力の強い（堅い）粘着剤を用い、体重の軽い生物を捕獲したい場合はタック性の高い（柔らかい）粘着剤を用いるのが良いが、同じ生物でも成虫（成獣）と幼虫（幼獣）とで体重が異なることもある。また、凝集力が強い粘着剤はタック性が劣り、タック性に優れた粘着剤は凝集力が劣り、凝集力とタック性とは相反する物性である。凝集力が強い粘着剤とタック性が高い粘着剤とを混合した場合には、それぞれの物性は中間的な値となり、このような混合粘着剤では捕獲力を十分に向上させることができない。
そこで本発明では、基材上に面方向に異なる位置にタック性が高い第一粘着剤と凝集力が強い第二粘着剤とを塗工することで、捕獲力を顕著に向上した。タック性の高いものを初めに生物の足に付着させてからめておいて、その後に凝集力のあるものを接触させると、捕獲力が向上する。油などで足が汚れていたりすると、粘着剤に凝集力があってもすり抜けることがある。
【０００６】
第一粘着剤としては、タック性を評価するＬｍａｘ値が１５０（ｇ／ｃｍ2）以上で、凝集力を評価するＥ値が１０００（ｇ・ｍｍ）以下のものを用いることができる。
第二粘着剤としては、Ｌｍａｘ値が１５０（ｇ／ｃｍ2）未満で、Ｅ値が１５００（ｇ・ｍｍ）以上のものを用いることができる。
Ｌｍａｘ値とは、２５℃条件にて、粘着剤面に一定重量のおもり（１〜１０ｇで底面フラットのもの）を短時間（１〜２秒）接触させ、一定速度（５０ｃｍ／分）で上方へひき上げる時に要する最大力を、おもり底面の単位面積あたりで評価した値である。この数値が大きいほどタック性が強い。
Ｅ値とは、上記試験で粘着剤からおもりを上記と同様にしてひきはがすのに要する仕事量を表し、数値が大きいほど凝集力が高い。
【０００７】
上記構成において、外箱が、長手方向中間部付近に、その中を通過する鼠の通過速度を遅くするための減速部を有し、基材が、減速部に対応する位置に第二粘着剤を有しているため、減速部で通過速度を減速された鼠の足を、第二粘着剤によって確実に捕らえることができ、鼠のように体重が重く、力が強いものでもしっかりと捕獲できる。
なお、有害生物としては、鼠、ゴキブリ、ゲジゲジ、ムカデ等の匍匐生物を挙げることができるが、これに限定されない。
【０００８】
【発明の実施の形態】
以下、本発明の実施形態を図面に基づいて詳しく説明する。図１に、本発明の第１実施形態の有害生物粘着捕獲器（以下「粘着捕獲器」という。）１０を示す。粘着捕獲器１０は、基材としてのトレイ１１の上に、タック性が高い第一粘着剤１２と、凝集力が強い第二粘着剤１３とを塗工してなる。
ここでは、トレイ１１は平面視長方形状に形成され、その周辺に縁（側壁）１１ａが形成されている。トレイ１１上の、長手方向両端部の領域に第一粘着剤１２，１２が塗工され、それ以外の長手方向中間部の領域（第一粘着剤１２，１２の間の領域）に第二粘着剤１３が塗工されている。
【０００９】
第一粘着剤１２は、トレイ１１の長手方向両端部から所定長さＬの領域にわたって塗工されている。所定長さＬは、トレイ１１上を通過する鼠の第一歩目が、又は第一歩目と第二歩目とが、第一粘着剤１２に触れるように、適宜設定することができ、例えばＬ＝３ｃｍ〜８ｃｍとすることができる。
また、第一粘着剤１２の層の厚みと、第二粘着剤１３の層の厚みとが異なっていてもよく、例えば第一粘着剤１２の層の厚みを第二粘着剤１３の層の厚みの１．５倍程度とすることができる。第一粘着剤１２の層の厚みを０．５ｃｍ〜２．０ｃｍとし、第二粘着剤１３の層の厚みを０．３ｃｍ〜１．３ｃｍとすることができる。
トレイ１１上の全領域に一様に第二粘着剤１３を塗工した後、トレイ１１の長手方向両端部の所定長さＬの領域に、第一粘着剤１２を第二粘着剤１３の上に重ねて塗工してもよい。
【００１０】
粘着捕獲器１０を、ゴキブリ等の体重が軽いものが通過しようとすると、ゴキブリ等は第一粘着剤１２に捕らえられる。
一方、粘着捕獲器１０を、鼠等の体重が重く力が強いものが通過しようとすると、先ず鼠等の足に初期粘着力（粘着剤の濡れ性；粘着剤のまとわりつきやすさ）の高い第一粘着剤１２が付着する。鼠等が第一粘着剤１２から逃れて次に第二粘着剤１３に足を踏み入れると、その足が凝集力の強い第二粘着剤１３にしっかりと捕らえられる。
【００１１】
図１に示した粘着捕獲器１０を、図２に示すような外箱１５内に収容して使用することもできる。外箱１５は、筒状に形成され、長手方向両端部に入口１６，１６を有している。外箱１５の底板１５ａ上に図１に示した粘着捕獲器１０をセットすると、第一粘着剤１２が入口１６付近に位置することになる。
ここでは外箱１５が、長手方向中間部付近に、その中を通過する鼠等の通過速度を遅くするための減速部１７を備えている。減速部１７は、外箱１５の屋根の一部を切り欠いて、その切り欠いた部分を外箱１５の内方に突出させるなどして、屋根を低くすることで構成することができる。減速部１７に対応する位置に、外箱１５内に置かれた粘着捕獲器１０の第二粘着剤１３が配される。減速部１７で通過速度を減速されたり、かがむことを余儀なくされたりした鼠等の足を、第二粘着剤１３によって確実に捕らえることができる。
【００１２】
図３に、第２実施形態の粘着捕獲器２０を示す。この粘着捕獲器２０は、平面視長方形状のトレイ２１の上に、第一粘着剤１２と第二粘着剤１３とが交互に、トレイ２１の長手方向に平行に、筋状に塗工されている。
【００１３】
図４に、第３実施形態の粘着捕獲器３０を示す。この粘着捕獲器３０は、平面視長方形状のトレイ３１の上に、第一粘着剤１２が散在するように塗工され、第一粘着剤１２が塗工されていない残りの領域に第二粘着剤１３が塗工されている。
トレイ３１上の全領域に一様に第二粘着剤１３を塗工した後、第二粘着剤１３の上に第一粘着剤１２を散在するように重ねて塗工してもよい。
図示しないが、第一接着剤１２と第二粘着剤１３とを逆に塗工してもよい。すなわち、トレイ上に第二粘着剤１３が散在するように塗工し、第二粘着剤１３を塗工していない残りの領域に第一粘着剤１２を塗工してもよい。
【００１４】
図５に、第４実施形態の粘着捕獲器４０を示す。この粘着捕獲器４０は、平面視長方形状のトレイ４１の、長手方向両端部付近に、第一粘着剤１２を散在するように塗工し、第一粘着剤１２を塗工していない残りの領域に第二粘着剤１３を塗工したものである。
【００１５】
なお、粘着捕獲器には、必要に応じて、誘引剤、接触性又は揮発性の殺虫剤、芳香剤、消臭剤等を併用することができる。
【００１６】
【実施例】
次に、実施例に基づいて本発明の効果を説明する。図１に示したような形態（幅１０ｃｍ×長さ２５ｃｍ）のトレイ１１上の、長手方向両端部のＬ＝５ｃｍの領域に第一粘着剤１２を層の厚みが１０ｍｍになるように塗工し、長手方向中間部の領域に第二粘着剤１３を層の厚みが５ｍｍになるように塗工した粘着捕獲器１０を用意した。
第一粘着剤１２としては、エバータックＳＡ−３００Ｅ（日本石油（株）製）を用い、第二粘着剤１３としては、エバータックＳＥ−５０Ｅ（日本石油（株）製）を用いた。
【００１７】
上記粘着捕獲器１０の上にドブネズミ１０匹を通過させたところ、１０匹とも捕獲でき、それらドブネズミは２４時間経過しても逃亡できなかった。また、クマネズミ１０匹を通過させたところ、同様に１０匹とも捕獲でき、２４時間以内に逃亡させることもなかった。
【００１８】
比較のため、トレイ１１の上の全領域に第一粘着剤１２を一様に塗工したもの（比較例１）と、トレイ１１の上の全領域に第二粘着剤１３を一様に塗工したもの（比較例２）とを用意し、それらについて上記と同様な試験を行った。
すると、比較例１では、ドブネズミ１０匹のうち５匹、クマネズミ１０匹のうち６匹しか捕獲できなかった。また、比較例２では、ドブネズミ１０匹のうち７匹、クマネズミ１０匹のうち４匹しか捕獲できなかった。
【００１９】
なお、本発明は、前述した実施形態、実施例に限定されるものではなく、適宜な変形、改良等が可能である。
例えば、トレイ形状は長方形に限らず、正方形やその他の多角形、円形や楕円形でもよい。
【００２０】
【発明の効果】
以上説明したように、本発明においては、タック性が高い第一粘着剤と凝集力が強い第二粘着剤とを面方向に異なる位置に塗工したことにより、ゴキブリ等の体重が軽いものから、鼠等の体重が重いものまで、高い捕獲力で捕獲することができる。
【図面の簡単な説明】
【図１】本発明の第１実施形態を示す概略平面図である。
【図２】粘着捕獲器を収容可能な外箱を示す概略斜視図である。
【図３】本発明の第２実施形態を示す概略平面図である。
【図４】本発明の第３実施形態を示す概略平面図である。
【図５】本発明の第４実施形態を示す概略平面図である。
【符号の説明】
１０，２０，３０，４０        有害生物粘着捕獲器
１１，２１，３１，４１        トレイ（基材）
１２                          第一粘着剤
１３                          第二粘着剤
１５                          外箱
【図１】
0003995510.tif 000002
【図２】
0003995510.tif 000003
【図３】
0003995510.tif 000004
【図４】
0003995510.tif 000005
【図５】
0003995510.tif 000006